(57)【要約】【課題】各種のコップ体に配置できるアルカリ活性水生成器を提供する。【解決手段】容器１および上蓋６を備える。容器１内には、赤外線を放射する焼成粒、２、アルカリ性ミネラル含有粒３、微量元素含有粒４および殺菌物質含有粒５が収容される。上蓋６が接続された後、コップ体７の内周壁７１下方に対応させて位置決めすることができる。コップ体７内の水と、前述の赤外線を放射する焼成粒２、アルカリ性ミネラル含有粒３、微量元素含有粒４および滅菌物質含有粒５と、が接触して、人体に有益なミネラルを含む飲料水を生成する。【選択図】図２
0003150945.tif 000002
【実用新案登録請求の範囲】
【請求項１】
コップ体内に配置されて、該コップ体内の水をアルカリ活性化するアルカリ活性水生成器であって、
前記アルカリ活性水生成器は、容器および上蓋を備え、
前記容器は、上方部に開放された開口部を有し、底面に複数の穿孔が設けられ、前記容器内には、複数の赤外線を放射する焼成粒、複数のアルカリ性ミネラル含有粒、複数の微量元素含有粒および複数の殺菌物質含有粒が収容され、前記容器の外周壁の形状は、配置されるコップ体の内周壁下方の形状に対応し、
前記上蓋は、複数の穿孔が設けられ、前記容器の上方部に接続されることを特徴とするアルカリ活性水生成器。
【請求項２】
前記容器の上方部と前記上蓋とは、外ねじ山と内ねじ山とを相互に螺合する方式によって接続されることを特徴とする請求項１記載のアルカリ活性水生成器。
【請求項３】
前記容器の上方部と前記上蓋とは、ほぞと係合溝とを相互に係合する方式によって接続されることを特徴とする請求項１記載のアルカリ活性水生成器。
【請求項４】
前記赤外線を放射する焼成粒は、遠赤外線を放射する電気石粉末および陶土を焼成してなることを特徴とする請求項１記載のアルカリ活性水生成器。
【請求項５】
前記アルカリ性ミネラル含有粒は、珊瑚および真珠を高温処理した後、カルシウム粉末を取り出して粒状に成形し、焼成固化してなることを特徴とする請求項１記載のアルカリ活性水生成器。
【請求項６】
前記殺菌物質含有粒は、陶土に銀イオンを添加した後、光触媒を塗布してなることを特徴とする請求項１記載のアルカリ活性水生成器。
【請求項７】
微量元素含有粒は、鉱石から取り出した鉱物元素粉末を成形固化した後、高温焼結してなることを特徴とする請求項１記載のアルカリ活性水生成器。
【考案の詳細な説明】
【技術分野】
【０００１】
本考案は、アルカリ活性水生成器に関し、特に、各種のコップ体内に対応させて配置することができ、容器内に収容される複数の赤外線を放射する電気石粉末および陶土の焼成粒、複数のアルカリ性ミネラル含有粒、複数の微量元素含有粒および複数の殺菌物質含有粒と、コップ体内の水と、が接触することにより、人体に有益な鉱物成分を含有する飲料水を生成することができるアルカリ活性水生成器に関する。
【背景技術】
【０００２】
水分の摂取は、直接人体の健康に影響を与えるので、住居、オフィスなどの室内空間に水濾過装置または水濾過設備が配置されたり、水濾過機能を有する浄水器が購入されて使用されたりする。しかし、従来技術においては、下記の欠点が存在する。
【０００３】
１．水濾過装置によって、濾過後の水の品質に差があるので、飲料水として安心して使用できない可能性があり、また、辺境地または山岳部では水濾過設備を配置できないことがある。
２．郊外、山岳部、軍事訓練地などに山水、川水などの水源があったとしても、直接飲料水として使用できない。
３．ペットボトルに水を入れて携帯することは、便利であるが、ペットボトルを大量に使用することは、二酸化炭素を増加させ、環境汚染を引き起こす。
【０００４】
本考案の考案者は、従来技術における上述の欠点に鑑み、研究および改良を重ね、ついに本考案のアルカリ活性水生成器を案出した。
【先行技術文献】
【特許文献】
【０００５】
【特許文献１】特開２０００−５１８７０号公報
【考案の概要】
【考案が解決しようとする課題】
【０００６】
本考案の第１の目的は、容器内に複数の赤外線を放射する電気石粉末および陶土の焼成粒、複数のアルカリ性ミネラル含有粒、複数の微量元素含有粒および複数の殺菌物質含有粒が配置され、上蓋が接続された後、各種のコップ体の内周壁下方に対応させて位置決めすることができ、コップ体内の水と、前述の複数の赤外線を放射する電気石粉末および陶土の焼成粒、複数のアルカリ性ミネラル含有粒、複数の微量元素含有粒および複数の殺菌物質含有粒と、が接触することにより、人体に有益な鉱物成分を含む飲料水を生成することができるアルカリ活性水生成器を提供することにある。
本考案の第２の目的は、構造が簡単であり、室内で使用されるコップ、ピクニックで使用される水筒またはコップ、軍事訓練用の水筒など、室内外において使用される各種のコップ体に簡単に配置して使用することができるアルカリ活性水生成器を提供することにある。
本考案の第３の目的は、水とアルカリ性ミネラル含有粒とが接触することにより、水が弱アルカリ化され、酸性体質の人を中性体質または弱アルカリ性体質にすることができ、尿酸値上昇、通風などの疾病を発生しにくくする飲料水を生成するアルカリ活性水生成器を提供することにある。
本考案の第４の目的は、水と微量元素含有粒とが接触することにより、微量元素含有粒から亜鉛、セレニウム、モリブデン、クロム、ストロンチウムなどの微量元素および有用鉱物成分が遊離して水に溶出され、骨粗鬆症および血管疾病の改善および児童の骨格発育に有益な飲料水を生成するアルカリ活性水生成器を提供することにある。
本考案の第５の目的は、水と赤外線を放射する電気石粉末および陶土の焼成粒とが接触することにより、焼成粒から放射される遠赤外線が水分子を配列しなおし、大きな水分子が小さな水分子に分裂されることによって、人体の新陳代謝に有益な飲料水を生成するアルカリ活性水生成器を提供することにある。
本考案の第６の目的は、水と殺菌物質含有粒とが接触することにより、殺菌物質含有粒に含まれる銀イオンおよび光触媒によって、水の殺菌および滅菌が行なわれ、人体に有益な飲料水を生成するアルカリ活性水生成器を提供することにある。
【課題を解決するための手段】
【０００７】
上述の課題を解決するために、請求項１の考案は、コップ体内に配置され、コップ体内の水をアルカリ活性化するアルカリ活性水生成器であり、アルカリ活性水生成器は、容器および上蓋を備え、容器は、上方部に開放状態の開口部を有し、底面に複数の穿孔が設けられ、容器内には、複数の赤外線を放射する電気石粉末および陶土の焼成粒、複数のアルカリ性ミネラル含有粒、複数の微量元素含有粒および複数の殺菌物質含有粒が収容され、容器の外周壁の形状は、配置されるコップ体の内周壁下方の形状に対応し、上蓋は、複数の穿孔が設けられ、容器の上方部に接続されることを特徴とするアルカリ活性水生成器である。
【０００８】
請求項２の考案は、容器の上方部と上蓋とは、外ねじ山と内ねじ山とを相互に螺合する方式によって接続されることを特徴とする請求項１記載のアルカリ活性水生成器である。
【０００９】
請求項３の考案は、容器の上方部と上蓋とは、ほぞと係合溝とを相互に係合する方式によって接続されることを特徴とする請求項１記載のアルカリ活性水生成器である。
【００１０】
請求項４の考案は、遠赤外線を放射する電気石粉末および陶土の焼成粒を用いること特徴とする請求項１記載のアルカリ活性水生成器である。
【００１１】
請求項５の考案は、アルカリ性ミネラル含有粒は、珊瑚および真珠を高温処理した後、カルシウム粉末を取り出して粒状に成形し、焼成固化してなることを特徴とする請求項１記載のアルカリ活性水生成器である。
【００１２】
請求項６の考案は、殺菌物質含有粒は、陶土に銀イオンを添加した後、光触媒を塗布してなることを特徴とする請求項１記載のアルカリ活性水生成器である。
【００１３】
請求項７の考案は、微量元素含有粒は、鉱石から取り出した鉱物元素粉末を成形固化した後、高温焼結してなることを特徴とする請求項１記載のアルカリ活性水生成器である。
【考案の効果】
【００１４】
本考案によって、以下の効果を達成することができる。
各種のコップ体の内周壁下方に対応させて位置決めすることができ、コップ体内の水と、複数の電気石粉末および陶土の焼成物からなる塊粒、複数のアルカリ性ミネラル含有粒、複数の微量元素含有粒および複数の殺菌物質含有粒と、が接触すると、人体に有益な鉱物質を含む飲料水を生成することができる。
構造が簡単であり、室内で使用されるコップ、ピクニックで使用される水筒またはコップ、軍事訓練用の水筒など、室内外において使用される各種のコップ体に簡単に配置して使用することができる。
電気石粉末および陶土の焼成粒から放射される赤外線は、生育光線とも称され、波長が４μ〜１４μの間の遠赤外線が放射され、その遠赤外線が水分子を配列しなおし、大きな水分子が小さな水分子に分裂されることによって、人体の新陳代謝に有益な飲料水を生成することができる。
一般の純水は、酸性水であり、長期にわたって飲用した場合、酸性体質、尿酸値上昇、通風、癌、文明病など、各種の疾病を引き起こすが、水とアルカリ性ミネラル含有粒とが接触した後、水が弱アルカリ化され、酸性体質の人を中性体質または弱アルカリ性体質にすることができ、尿酸値上昇、通風などの疾病を発生しにくくする飲料水を生成することができる。
水と微量元素含有粒とが接触することにより、微量元素含有粒から亜鉛、セレニウム、モリブデン、クロム、ストロンチウムなどの微量元素および有機鉱物が遊離して水に溶出され、骨粗鬆症および血管疾病の改善および児童の骨格発育に有益な飲料水を生成することができる。
水と殺菌物質含有粒とが接触することにより、殺菌物質含有粒に含まれる銀イオンおよび光触媒によって、水の殺菌および滅菌が行なわれ、人体に有益な飲料水を生成することができる。
【図面の簡単な説明】
【００１５】
【図１】本考案の一実施形態によるアルカリ活性水生成器の容器および上蓋を示す分解斜視図である。
【図２】図１に示すアルカリ活性水生成器を蓋体を有するコップ体内に配置した状態を示す断面図である。
【図３】図１に示すアルカリ活性水生成器を蓋体を有するコップ体内に配置する前の状態を示す分解斜視図である。
【考案を実施するための形態】
【００１６】
本考案の目的、特徴および効果を示す実施例を図に沿って詳細に説明する。
【００１７】
図１、２、３を参照する。図２、３に示すように、本考案の一実施形態によるアルカリ活性水生成器は、コップ体７内に配置される。コップ体７内に配置されるアルカリ活性水生成器は、容器１および上蓋６を備える。容器１は、上方部１１に開放状態の開口部を有し、底面に複数の穿孔１２（図２を参照）が設けられる。容器１内には、複数の赤外線を放射する電気石粉末および陶土の焼成粒２、複数のアルカリ性ミネラル含有粒３、複数の微量元素含有粒４および複数の殺菌物質含有粒５が配置される。容器１の外周壁１０の形状は、配置したいコップ体７の内周壁７１下方の形状に対応する。
【００１８】
上蓋６は、容器１の上方部１１に接続され、上蓋６は、複数の穿孔６１を有する。
【００１９】
容器１の上方部１１と上蓋６とは、外ねじ山１１１と内ねじ山６２とを相互に螺合する方式またはほぞ（図示せず）と係合溝（図示せず）とを相互に係合する方式によって接続される。
【００２０】
容器１内に複数の赤外線を放射する電気石粉末および陶土の焼成粒２、複数のアルカリ性ミネラル含有粒３、複数の微量元素含有粒４および複数の殺菌物質含有粒５が配置され、上蓋６が接続された後、コップ体７の内周壁７１下方に位置決めされる。コップ体７内に入れられた水は、上蓋６の複数の穿孔６１から容器１内に進入し、容器１内の複数の赤外線を放射する電気石粉末および陶土の焼成粒２、複数のアルカリ性ミネラル含有粒３、複数の微量元素含有粒４および複数の殺菌物質含有粒５と接触する。水と赤外線を放射する電気石粉末および陶土の焼成粒２とが接触すると、電気石粉末および陶土の焼成粒２から放射される遠赤外線が水分子を配列しなおし、大きな水分子が小さな水分子に分裂されることによって、人体の新陳代謝に有益な飲料水を生成することができる。水とアルカリ性ミネラル含有粒３とが接触することにより、水が弱アルカリ化され、酸性体質の人を中性体質または弱アルカリ性体質にすることができ、尿酸値上昇、通風などの疾病を発生しにくくする飲料水を生成することができる。水と微量元素含有粒４とが接触すると、微量元素含有粒４から亜鉛、セレニウム、モリブデン、クロム、ストロンチウムなどの微量元素および有益な鉱物質が遊離して水に溶出され、骨粗鬆症および血管疾病の改善および児童の骨格発育に有益な水を生成することができる。水と殺菌物質含有粒５とが接触すると、殺菌物質含有粒５に含まれる銀イオンおよび光触媒によって、水の殺菌および滅菌が行なわれ、人体に有益な飲料水を生成することができる。
【００２１】
前述の上蓋６の上方部には、取り扱いに便利なように、取っ手部６０を設ける。
【００２２】
本実施形態におけるコップ体７は、水筒の本体であり、コップ体７の上方部にねじ山部７０が設けられ、外ねじ山８１を有する蓋体８が螺合接続される。しかし、これは、本考案の一実施形態を示すものであり、実際は、各種の蓋体を有するコップ体または蓋体を有さないコップ体に本考案によるアルカリ活性水生成器を配置して使用することができる。
【００２３】
以上の説明をまとめると、本考案によるアルカリ活性水生成器は、下記の効果を達成することができる。
【００２４】
１．容器１内に複数の赤外線を放射する焼成粒４、複数のアルカリ性ミネラル含有粒３、複数の微量元素含有粒４および複数の殺菌物質含有粒５が配置され、上蓋８が接続された後、各種のコップ体７の内周壁７１下方に対応させて位置決めして、コップ体７内の水と、前述の複数の赤外線を放射する電気石粉末および陶土の焼成粒２、複数のアルカリ性ミネラル含有粒３、複数の微量元素含有粒４および複数の殺菌物質含有粒５と、が接触して、人体に有益なミネラルを含む飲料水を生成することができる。
２．構造が簡単であり、室内で使用されるコップ、ピクニックで使用される水筒またはコップ、軍事訓練用の水筒など、室内外において使用される各種のコップ体７に簡単に配置して使用することができる。
３．赤外線を放射する焼成粒４は、、電気石粉末および陶土を焼成した焼成粒であり、電気石粉末および陶土の焼成粒から放射される赤外線は生育光線とも称され、波長が４μ〜１４μの間の遠赤外線が放射され、その遠赤外線が水分子を配列しなおし、大きな水分子が小さな水分子に分裂されることによって、人体の新陳代謝に有益な飲料水を生成することができる。
４．アルカリ性ミネラル含有粒３は、珊瑚および真珠を高温処理した後、カルシウム粉末を取り出して粒状に成形し、焼成固化してなる。一般の純水は、酸性水であり、長期にわたって飲用した場合、酸性体質、尿酸値上昇、通風、癌、文明病など、各種の疾病を引き起こすが、水とアルカリ性ミネラル含有粒３とが接触した後、水が弱アルカリ化され、酸性体質の人を中性体質または弱アルカリ性体質にすることができ、尿酸値上昇、通風などの疾病を発生しにくくする飲料水を生成することができる。
５．微量元素含有粒４は、鉱石から取り出した鉱物元素粉末を成形固化した後、高温焼結してなり、水と微量元素含有粒４とが接触すると、微量元素含有粒４から亜鉛、セレニウム、モリブデン、クロム、ストロンチウムなどの微量元素および有機鉱物が遊離してコップ体７内の水に溶出され、骨粗鬆症および血管疾病の改善および児童の骨格発育に有益な飲料水を生成することができる。
６．殺菌物質含有粒５は、陶土内に銀イオンを添加した後、光触媒を塗布してなり、水と殺菌物質含有粒５とが接触すると、殺菌物質含有粒５に含まれる銀イオンおよび光触媒によって、水の殺菌および滅菌が行なわれ、人体に有益な飲料水を生成することができる。
【符号の説明】
【００２５】
１  容器
１０  外周壁
１１  上方部
１１１  外ねじ山
１２  穿孔
２  赤外線を放射する電気石粉末および陶土の焼成粒
３  アルカリ性ミネラル含有粒
４  微量元素含有粒
５  殺菌物質含有粒
６  上蓋
６０  取っ手部
６１  穿孔
６２  内ねじ山
７  コップ体
７０  ねじ山部
７１  内周壁
８  蓋体
８１  外ねじ山
【図１】
0003150945.tif 000003
【図２】
0003150945.tif 000004
【図３】
0003150945.tif 000005